(57)【要約】【課題】  本発明は、４列等にて整列走行するカップに具材を自動供給する装置を既存の狭い間隔のカップ走行ライン上にも余裕をもって設置することができるようにするとともに、分解・組立てが容易で且つカップの走行不能時に具材通路の目詰まりを防止し、具材を回収することを課題とする。【解決手段】  本発明は、具材を収容するタンクの下出口につながる具材通路の中間下に具材の落下口と該落下口下に下向きのシュートを設け、該シュート下に複数個の供給筒をコンパクトな四角形状に集中配設し、該シュートの下半を９０度角を挟んで設ける２つのクランクシャフトの振り作動によりシュート内に流入する具材を各供給筒に振り分け入れして直下を４列等にて整列走行するカップに具材を自動供給し、さらに具材通路を具材の落下口より外方に延長する延長部を設けて該カップの故障等による走行不能時に具材を具材通路の延長部に流して具材通路の目詰まりを防止し、且つ流し具材を延長部端にて回収するようにして課題を解決する。【選択図】図１
2014151964.tif 000002
【特許請求の範囲】
【請求項１】
具材を収容するタンクの下出口につながる具材通路の中間下に具材の落下口と該落下口下に下向きのシュートを設け、該シュート下に複数個の供給筒をコンパクトな四角形状に集中配設し、該シュートの下半を９０度角を挟んで設ける２つのクランクシャフトの振り作動によりシュート内に流入する具材を各供給筒に振り分け入れして直下を整列走行するカップに具材を自動供給し、さらに具材通路を具材の落下口より外方に延長する延長部を設けて該カップの故障等による走行不能時に具材を具材通路の延長部に流して具材通路の目詰まりを防止し、且つ流し具材を延長部端にて回収するようにしたことを特徴とする整列走行するカップに具材を自動供給する装置。
【請求項２】
具材収容のタンクにつながる具材通路を通って中間の落下口よりシュートに落入する具材をシュートの下半の振りにてコンパクトな四角形状に集中した複数個の供給筒を通して直下を整列走行するカップに具材を自動供給するようにしたことを特徴とする整列走行するカップに具材を自動供給する方法。
【請求項３】
具材通路を中間の供給孔より外方に延長してカップの故障等による走行不能時にタンク内の具材を延長部に流して具材通路の目詰まりを防止し、且つ流し具材を延長部端にて回収するようにした請求項２に記載の方法。
【発明の詳細な説明】
【技術分野】
【０００１】
この発明は、整列走行するカップに具材を供給する装置およびその方法に関するものである。
【背景技術】
【０００２】
リテーナーコンベアにより麺などの食材を充填して吊下げ整列走行するカップ内に上方からネギ，小エビ，肉，卵，スープの素などの具材を自動供給する装置として特許第３７１２１７２号公報は、複数個の円形をした供給筒を平面視円形または多角形状に間隔を置いて配設し、具材タンクにつながるシュートを円回転させて具材を各供給筒に順次注入して下の小供給筒を通して具材を整列走行するカップ内に自動供給することを記載している。
【先行技術文献】
【特許文献】
【０００３】
【特許文献１】特許第号３７１２１７２公報
【発明の概要】
【発明が解決しようとする課題】
【０００４】
しかしながら、装置の中心をなす円形の供給筒を間隔を置いて円形または多角形状に配設する構成は具材の受け入れを多とする関係で各供給筒が大形となることから円形または多角形状が著しく大型となって、狭い間隔で２編成以上のカップ整列走行ラインを設けてなる既設のライン上には互いに衝突することが生じて取付けられないという課題がある。
【０００５】
また、装置が総体に大型で重くしかも複雑な構成によって点検，清掃のための分解組立てを容易でないものにしているという課題がある。
【０００６】
さらに大きな欠陥として具材を収容するタンクにつながるシュートを目詰まりを防止するために具材を流し放しにしていることから、カップの整列走行が故障などにより走行不能となると具材がシュート，供給筒から溢れだして周囲に四散して、すべての具材を無駄にするほか、清掃に難儀するという課題がある。
【課題を解決するための手段】
【０００７】
本発明は、ネギ，小エビ，肉，卵，スープの素などより１種乃至数種の具材を収容したタンクの下出口につながる具材通路の中間下の落下口下にシュートを取付け、該シュート下に小角形とする複数個の供給筒を４列２行等の四角形状にコンパクトに集中配設し、該シュートの下半を９０度角を挟んで設ける２組のクランクシャフトにて縦横に振り作動させてシュート内に流入する具材を各供給筒に振り分け入れして、該各供給筒を通して直下を４列等にて整列走行する麺入り等の各カップ内に具材を自動供給するようにし、さらにタンクの下出口につながる具材通路を中間の落下口より外方に延長して前記のカップが何等かの理由による走行不能時に落下口を蓋閉じして具材を具材通路の延長側に流し延長端にて回収するようにして、前記したすべての課題を解決するようにしたのである。
【発明の効果】
【０００８】
本発明は、装置の中心をなす複数個の供給筒を小角形にして４列２行等のコンパクトな四角形状に集中配設したので、４列等にて整列走行するカップの走行ラインと同幅かそれ以内にとどめることができて、狭い間隔にて２編成以上において並設する既設のカップの整列走行ライン上にも余裕をもって容易に取付けることができるという効果を生ずる。
【０００９】
供給筒群がコンパクトな四角形状で軽量且つ簡素になることによって点検，清掃のための分解，組立てが容易になるという効果を生ずる。
【００１０】
タンクにつながる具材通路を中間の落下口より外方に延長して、カップ走行ラインが万一故障等により走行不能になるときも、具材を延長した外方に流して回収することで具材通路の目詰まりと具材の無駄と四散を防止することができるという効果を生ずる。
【図面の簡単な説明】
【００１１】
【図１】第１実施例の正面図
【図２】同、供給筒から下を示す平面図
【図３】シュートの横振れ作動を示す説明正面図
【図４】同、縦振れ作動を示す説明側面図
【図５】カップの走行不能時に落下口を蓋閉じして具材を延長部に流し回収しつつある状態を示す正面図
【図６】第２実施例を示す平面図
【発明を実施するための形態】
【００１２】
本発明は、具材を収容するタンクの下出口につながる具材通路の中間下に具材の落下口と該落下口下に下向きのシュートを設け、該シュート下に小角形をした複数個の供給筒を隙間のない四角形状に集中配設し、該シュートの下半を９０度角を挟んで設ける２つのクランクシャフトによる振り作動にてシュート内に流入する具材を各供給筒に振り分け入れして整列走行するカップに具材を自動供給し、さらに具材通路を落下口より外方に延長して該カップの故障等による走行不能時に具材を具材通路の延長部に流して具材通路の目詰まりを防止し、且つ具材を回収するようにしたのである。
【実施例１】
【００１３】
以下図１乃至図５に基づいて第１実施例を説明する。
図１に示すように具材Ｇを収容するタンク１の下出口２につながる具材通路３はベルトコンベア３ａを有して下出口２より流出する具材Ｇを乗せて中間下の落下口４より下向きのシュート５内に流入させ、タンク１側に設けるクランクシャフト６と９０度角を挟んで側方に設けるクランクシャフト７の交互作動により第３図および第４図に示すようにシュート５の下半を縦横に振り作動して４列２行の供給筒８を通して下の麺入り等して４列走行する各カップＫ内に具材Ｇを自動供給する。８ａは各供給筒８の下端に設けた開閉蓋で、間歇走行するカップＫの停止タイミングに合わせて開いて具材ＧをカップＫ内に供給するのである。４列にて走行するカップには前後２行のカップＫに具材Ｇが交互に供給されることになる。
【００１４】
麺入りの不良等によりカップＫが走行不能となったときは、図５に示すようにタンク１につながる具材通路３の中間下の落下口４を蓋９閉じして通路３の延長部３ｂに具材Ｇを流し、回収部１０にて回収して、具材通路３の目詰まりを防止するとともに具材Ｇの無駄と四散を防止する。
【実施例２】
【００１５】
図６は第２実施例であって、具材収容のタンク１を２個並設しそれぞれの下出口１につながる具材通路３を２列にして異なる具材ＧをカップＫ内に混合落入するようにしたもので、その他の構成と作用は第１実施例と同じである。
なお、具材収容のタンク１は３個以上にすることもできる。３列以上の具材通路３から下向きのシュート５内に３種以上の具材が混合して落入することとなる。
【産業上の利用可能性】
【００１６】
本発明は、装置の中心をなす複数個の供給筒を小角形にして４列２行等のコンパクトな四角形状に集中配設したので、既設の狭い間隔のカップ走行ライン上にも余裕をもって容易に取付けることができ、且つ小型化による軽量化にて分解組立てを伴う点検，清掃も容易となり、さらには具材をカップの走行不能時に回収可能にしたことで広く利用されるものである。
【符号の説明】
【００１７】
１は具材収容のタンク
２は下出口
３は具材通路
３ａはベルトコンベア
３ｂは具材通路の延長部
４は中間の落下口
５はシュート
６はタンク１側のクランクシャフト
７はクランクシャフト６と９０度角を挟んで側方に設けるクランクシャフト
８は供給筒
８ａは供給筒の下端の開閉蓋
９は落下口の蓋
１０は回収部
【図１】
2014151964.tif 000003
【図２】
2014151964.tif 000004
【図３】
2014151964.tif 000005
【図４】
2014151964.tif 000006
【図５】
2014151964.tif 000007
【図６】
2014151964.tif 000008